(57)【要約】      （修正有）【課題】将来飼猫が疾病を患ったときに備え、見込まれる医療費を仮想通貨により積立てるとともに、医療費が不足する場合には寄付を呼びかけ、会員同士のコミュニケーションや診療所との診療経過情報の共有なども視野に入れた仮想通貨積立管理システム、仮想通貨積立管理端末装置、仮想通貨積立管理方法及び仮想通貨積立管理プログラムを提供する。【解決手段】仮想通貨積立管理システム１は、仮想通貨積立管理サーバにおいて、飼主情報、猫属性情報、猫状態情報を取得する会員登録部と、将来の猫の医療費を予測して仮想通貨の積立プランを提示する積立プラン算出部と、会員が猫のために支出を要する際、仮想通貨の譲渡を受ける譲渡受付部と、仮想通貨により決済を行う決済部と、会員又は／及び診療所が診療情報を取得する情報提供部と、コミュニケーションツールを用いて会員間のコミュニケーションを可能とするコミュニケーション部とを備える。【選択図】図１
2020027493.tif 000002
【特許請求の範囲】
【請求項１】
猫の飼主のための仮想通貨積立管理システムであって、
飼主から飼猫の属性を表す猫属性情報を取得して会員登録を行う会員登録部と、
前記猫属性情報及び前記飼猫の状態を表す猫状態情報を取得して将来必要となる前記飼猫の医療費を予測して仮想通貨の積立プランを提示する積立プラン算出部と、
前記飼主が前記飼猫のために支出を行う際、前記仮想通貨により決済を行う決済部とを備える仮想通貨積立管理システム。
【請求項２】
前記猫属性情報とは、猫の種類、生年月日、飼育環境、位置情報、疾病履歴を含む請求項１に記載の仮想通貨積立管理システム。
【請求項３】
前記猫状態情報は、前記飼猫の身体情報及び外見から把握できる情報を含む請求項１から請求項２のいずれか一項に記載の仮想通貨積立管理システム。
【請求項４】
前記飼主が前記飼猫のために支出を要する際、他の飼主から前記仮想通貨の譲渡を受ける譲渡受付部をさらに備える請求項１から請求項３のいずれか一項に記載の仮想通貨積立管理システム。
【請求項５】
前記譲渡受付部は、飼主の飼猫の疾病確率と保有する仮想通貨に基づき十分な仮想通貨の積立を有する飼主に仮想通貨の譲渡を促す請求項４に記載の仮想通貨積立管理システム。
【請求項６】
前記譲渡受付部は、飼主の飼猫の疾病確率と保有する仮想通貨に基づき飼主に対し積立状況を提示して仮想通貨の譲渡を促す請求項４から請求項５のいずれか一項に記載の仮想通貨積立管理システム。
【請求項７】
飼猫の診療情報を診療機関に提供する情報提供部をさらに備える請求項１から請求項６のいずれか一項に記載の仮想通貨積立管理システム。
【請求項８】
前記情報提供部は、飼猫の診療情報を飼主に提供する請求項７に記載の仮想通貨積立管理システム。
【請求項９】
前記仮想通貨の積立、譲渡及び決済等について、ブロックチェーンを用いて管理する請求項１から請求項８のいずれか一項に記載の仮想通貨積立管理システム。
【請求項１０】
前記飼猫の診療情報について、ブロックチェーンを用いて管理する請求項７から請求項８のいずれか一項に記載の仮想通貨積立管理システム。
【請求項１１】
前記仮想通貨の積立、譲渡及び決済について、スマートコントラクトを用いて自動的に契約を実行する請求項１から請求項１０のいずれか一項に記載の仮想通貨積立管理システム。
【請求項１２】
コミュニケーションツールを用いて飼主間でコミュニケーションをとることを可能とするコミュニケーション部をさらに備える請求項１から請求項１１のいずれか一項に記載の仮想通貨積立管理システム。
【請求項１３】
猫の飼主のための仮想通貨積立管理端末装置であって、
飼主から飼猫の属性を表す猫属性情報を取得して会員登録を行う会員登録部と、
前記猫属性情報及び前記飼猫の状態を表す猫状態情報を取得して将来必要となる前記飼猫の医療費を予測して仮想通貨の積立プランを提示する積立プラン算出部と、
前記飼主が前記飼猫のために支出を行う際、前記仮想通貨により決済を行う決済部とを備える仮想通貨積立管理端末装置。
【請求項１４】
猫の飼主のための仮想通貨積立管理方法であって、
飼主から飼猫の属性を表す猫属性情報を取得して会員登録を行う会員登録ステップと、
前記猫属性情報及び前記飼猫の状態を表す猫状態情報を取得して将来必要となる前記飼猫の医療費を予測して仮想通貨の積立プランを提示する積立プラン算出ステップと、
前記飼主が前記飼猫のために支出を行う際、前記仮想通貨により決済を行う決済ステップとを備える仮想通貨積立管理方法。
【請求項１５】
猫の飼主のための仮想通貨積立管理プログラムであって、
飼主から飼猫の属性を表す猫属性情報を取得して会員登録を行う会員登録ステップと、
前記猫属性情報及び前記飼猫の状態を表す猫状態情報を取得して将来必要となる前記飼猫の医療費を予測して仮想通貨の積立プランを提示する積立プラン算出ステップと、
前記飼主が前記飼猫のために支出を行う際、前記仮想通貨により決済を行う決済ステップをコンピュータに実行させる仮想通貨積立管理プログラム。
【発明の詳細な説明】
【技術分野】
【０００１】
本開示は、猫の飼主向けに将来必要となる猫の医療費のために仮想通貨を用いて積み立てる仮想通貨積立管理システム、仮想通貨積立管理端末装置、仮想通貨積立管理生成方法及び仮想通貨積立管理プログラムに関する。
【背景技術】
【０００２】
昔から、猫は人間の身近なペットとして飼われているが、近年特に猫ブームとしてその飼育数が増えている。猫は動物であるから、体調を崩すことがあるが、疾病を患った際には治療にまとまった金額が必要となることも多く、飼主はペットの医療費を捻出するために借入れが必要となるなど経済的負担が大きい。これに対応するため、人間の医療保険と同様にペット向けの保険商品が販売されている。
【０００３】
例えば、特許文献１では、飼育動物の動物種及び品種、年齢並びに飼育環境に基づく疾病確率を予測し、飼育動物の保険加入時期を判定した上で、飼主に対して保険への加入を勧める保険加入支援システムが開示されている。
【先行技術文献】
【特許文献】
【０００４】
【特許文献１】特開２０１７−２２４１８８号公報
【発明の概要】
【発明が解決しようとする課題】
【０００５】
しかし、特許文献１に開示された技術は、あくまでペットの保険に加入することを目的としているため、保険の加入要件を満たすことが必要である。さらに、ペット向けの保険商品は、利用時に保険対象のペットを特定する必要性や加入要件を満たすかどうかの判断が必要であり、例えば年に一度の更新手続時にペットの顔写真を要求されるなど、ペット向け保険特有の繁雑な手続きが発生する問題も有する。
【０００６】
そこで、本開示では、猫の疾病に備えた医療費の積立システムを提案することにより、保険と同様の医療費の補填という効果を、繁雑な手続きを経ず、かつペットの年齢に関係なく開始ができる猫の飼主のための仮想通貨積立管理システム、仮想通貨積立管理端末装置、仮想通貨積立管理生成方法及び仮想通貨積立管理プログラムを提供することを目的とする。
【０００７】
併せて、本開示では、日常的に散歩をさせる犬のように飼い主同士のコミュニケーションが生じやすいペットと異なり、散歩の必要がない猫であっても、猫の飼主同士のコミュニケーションの場を提供する。さらに、猫の診療機関とも連携することにより、ペットの診療経過を飼主及び猫の診療機関が相互に情報提供できる仕組みを提供する。
【課題を解決するための手段】
【０００８】
本開示の一態様における仮想通貨積立管理システムは、猫の属性を表す猫属性情報を取得して会員登録を行う会員登録部と、猫属性情報及び猫の状態を表す猫状態情報から将来の猫の医療費を予測して仮想通貨の積立プランを提示する積立プラン算出部と、飼主が猫のために支出を要する際、他の飼主から仮想通貨の譲渡を受ける譲渡受付部と、飼主が猫のために支出を行う際、仮想通貨により決済を行う決済部と、飼主又は／及び診療所が診療情報を取得する情報提供部と、コミュニケーションツールを用いて飼主間でコミュニケーションをとることを可能とするコミュニケーション部を備える。
【０００９】
本開示の一態様における仮想通貨積立管理端末装置は、猫の属性を表す猫属性情報を取得して会員登録を行う会員登録部と、猫属性情報及び猫の状態を表す猫状態情報から将来の猫の医療費を予測して仮想通貨の積立プランを提示する積立プラン算出部と、飼主が猫のために支出を要する際、他の飼主から仮想通貨の譲渡を受ける譲渡受付部と、飼主が猫のために支出を行う際、仮想通貨により決済を行う決済部と、飼主又は／及び診療所が診療情報を取得する情報提供部と、コミュニケーションツールを用いて飼主間でコミュニケーションをとることを可能とするコミュニケーション部を備える。
【００１０】
本開示の一態様における仮想通貨積立管理方法は、猫の属性を表す猫属性情報を取得して会員登録を行う会員登録ステップと、猫属性情報及び猫の状態を表す猫状態情報から将来の猫の医療費を予測して仮想通貨の積立プランを提示する積立プラン算出ステップと、飼主が猫のために支出を要する際、他の飼主から仮想通貨の譲渡を受ける譲渡受付ステップと、飼主が猫のために支出を行う際、仮想通貨により決済を行う決済ステップと、飼主又は／及び診療所が診療情報を取得する情報提供ステップとコミュニケーションツールを用いて飼主間でコミュニケーションをとることを可能とするコミュニケーションステップとを備える。
【００１１】
本開示の一態様における仮想通貨積立管理プログラムは、猫の属性を表す猫属性情報を取得して会員登録を行う会員登録ステップと、猫属性情報及び猫の状態を表す猫状態情報から将来の猫の医療費を予測して仮想通貨の積立プランを提示する積立プラン算出ステップと、飼主が猫のために支出を要する際、他の飼主から仮想通貨の譲渡を受ける譲渡受付ステップと、飼主が猫のために支出を行う際、仮想通貨により決済を行う決済ステップと飼主又は／及び診療所が診療情報を取得する情報提供ステップとコミュニケーションツールを用いて飼主間でコミュニケーションをとることを可能とするコミュニケーションステップとをコンピュータに実行させるためのプログラムである。
【発明の効果】
【００１２】
本開示によれば、猫の飼主は、繁雑な手続きを経ず、また、猫の年齢を気にすることなく、将来の飼猫の疾病に対し経済的に備えることが可能となる。また、猫同士のコミュニティを通じて、飼主同士で情報交換を行うことが可能となる。猫の診療機関と会員が情報を共有することにより、猫は診療経過を簡単に確認することが可能となり、診療機関は、過去の診療経過を把握して現在担当している猫の治療に役立てることの他、流行りの疾病を把握して治療に役立てることが可能となる。
【図面の簡単な説明】
【００１３】
【図１】本開示に係る仮想通貨積立管理システムの構成の一例を示す図である。
【図２】本開示に係る会員情報ＤＢ１１１のデータ構成の一例を示す図である。
【図３】本開示に係る仮想通貨ＤＢ１１２のデータ構成の一例を示す図である。
【図４】本開示に係る診療情報ＤＢ１１３のデータ構成の一例を示す図である。
【図５】仮想通貨積立管理サーバの処理の流れの一例を示すフローチャートである。
【図６】本開示の実施形態に係るコンピュータの構成を示す概略ブロック図である。
【発明を実施するための形態】
【００１４】
以下、本開示の実施形態に係る仮想通貨積立管理システム、仮想通貨積立管理端末装置、仮想通貨積立管理方法及び仮想通貨積立管理プログラムについて図面を参照しながら説明する。なお、以下に説明する実施形態は、特許請求の範囲に記載された本開示の内容を不当に限定するものではない。また、実施形態で説明される構成の全てが、本開示の必須構成要件であるとは限らない。また、実施形態を説明する全図において、共通の構成要素には同一の符号を付し、繰り返しの説明を省略する。
【００１５】
図１は、本開示にかかる仮想通貨積立管理システム１の全体構成を示す図である。以下、これを参照して、仮想通貨積立管理システム１の構成について説明する。
【００１６】
（構成）
仮想通貨積立管理サーバ１００は、会員登録部１０１と、積立プラン算出部１０２と、譲渡受付部１０３と、決済部１０４と、情報提供部１０５と、コミュニケーション部１０６と、会員情報ＤＢ１１１と、仮想通貨ＤＢ１１２と、診療情報ＤＢ１１３とを有する。仮想通貨積立管理サーバ１００はネットワークＮＷを介して、会員端末２００−１〜２００−Ｎ及び／又は診療所端末２０１−１〜２０１−Ｍと接続し、情報の送受信が可能である。仮想通貨積立管理サーバ１００は、コンピュータにプログラムを実装することにより実現する。なお、仮想通貨積立管理サーバ１００を構成する各部は、複数のコンピュータに分散して実現されていても構わない。また、会員情報ＤＢ１１１、仮想通貨ＤＢ１１２及び診療情報ＤＢ１１３は仮想通貨積立管理サーバ外に存在しても構わない。
【００１７】
会員端末２００−１〜２００−Ｎは、会員（猫の飼主）が操作し、仮想通貨積立管理サーバ１００と通信し、情報の入力や取得、仮想通貨の操作を行う端末である。例えば、会員端末２００−１〜２００−Ｎでは、会員登録の際に、飼主の情報を入力する他、猫の種類、生年月日、飼育環境、位置情報、疾病履歴などの猫属性情報や、身体情報や猫の外見情報などの猫状態情報の入力を行う。また、仮想通貨を積立てて購入し、猫の医療費の支払いに仮想通貨を利用するなど、仮想通貨の操作を行う。さらに、猫の診療情報を閲覧するなど、仮想通貨積立管理サーバ１００が提供する情報の閲覧を行う。
【００１８】
診療所端末２０１−１〜２０１−Ｍは、猫の診療を行う診療所が操作し、仮想通貨積立管理サーバ１００と通信し、情報の入力や取得、仮想通貨の操作を行う端末である。例えば、診療所端末２０１−１〜２０１−Ｍでは、仮想通貨積立管理サーバ１００が保有する診療予定の猫の過去の診療情報の取得、診療した猫の診療情報の入力等を行う。また、診療した会員に対する仮想通貨による医療費の決済を行う。
【００１９】
会員登録部１０１は、ネットワークＮＷを介して、会員端末２００−１〜２００−Ｎから飼主情報の他、猫属性情報及び猫状態情報を取得する。飼主情報は、ＩＤ、飼主（会員）の氏名、メールアドレス、電話番号、住所などの情報であり、会員登録時に会員が入力する。猫属性情報は、猫の種類、生年月日、飼育環境（室内での飼育か屋外での飼育かなど）、位置情報、疾病履歴などの情報であり、会員登録時に会員が入力する他、その後情報が追加されてもよい。猫状態情報は、猫の外見情報（例えば画像データで取得する等）、体長や体重の他、心拍などの生体情報などであり、会員登録時及びその後に情報が入力されることが考えられる。なお、ネットワークＮＷはインターネットなどのネットワークを示す。飼主情報を取得することで、仮想通貨の権利者を確定することが可能となり、また、猫属性情報や猫状態情報の取得により、当該猫が将来必要となる医療費を予測するための一情報として活用することが可能となる。
【００２０】
また、会員登録部１０１で取得する情報は、会員が入力する他、猫にセンサを取り付け、センサからの情報を取得することも可能である。例えば、猫属性情報における位置情報は、猫にＧＰＳを取り付けることで取得する他、猫状態情報における心拍などの生体情報は猫にセンサを取りつけて取得することが可能である。これらの情報を取得することで、猫の将来の疾病確率の予測に役立てることが可能となる。
【００２１】
会員情報ＤＢ１１１は、ＩＤや飼主の連絡先などの飼主情報、猫の種類、生年月日、飼育環境、位置情報、疾病履歴などの猫属性情報、猫の体長、体重、外観情報、生体情報などの猫状態情報を要素としたデータベースである。
【００２２】
図２に会員情報ＤＢ１１１が保有する各会員のデータの具体例を示す。会員情報ＤＢ１１１は、ＩＤ、メールアドレス、猫の種類、生年月日、飼育環境、位置情報、疾病履歴、体長、体重、写真（外見）などからなる。飼育環境は、室内又は室外のいずれかで飼育しているかなどの情報を示す。位置情報は、ＧＰＳなどを用いて定期的に猫の位置情報を取得し、時間（年月日時間）と位置（緯度経度）の組合せで情報を保有することで、一日の移動距離などを把握することができる。また、写真等の画像データにより、猫の外見情報を保有することも可能である。会員情報ＤＢ１１１が保有するデータはこれらに限られず、例えば飼主の電話番号、住所、生年月日などや、猫の性別、生体情報などを要素とすることも可能である。これらの会員情報により、会員及びその飼猫を特定することが可能となるとともに、猫の将来の疾病確率を予測する情報となる。
【００２３】
積立プラン算出部１０２は、会員情報ＤＢ１１１の情報から、会員に対し、将来の猫の診療に必要な費用を予測した上で、それに備えうる費用の積立プランを提案する。会員の任意の判断ではなく、積立プランを提案することで、会員に対して積立の判断を支援し、また、合理的に予測される将来の医療費を積み立てることで十分な備えを実現することが可能となる。なお、本開示でいう医療費とは、診療所における診療費の他、薬剤の費用など診療に伴い発生する費用も含む概念である。
【００２４】
将来、猫の診療に必要な費用は、将来いかなる疾病を患う可能性があるかという確率と、その疾病を治療するのに要する費用とを考慮して算出することが可能である。例えば、１年後に疾病Ａを患う可能性がＰＡであり、そのときの治療に要する費用がＣＡであるとすれば、１年後に要する医療費はＰＡ×ＣＡという形で算出できる。その他にも、疾病Ｂ（ＰＢ×ＣＢ）や疾病Ｃ（ＰＣ×ＣＣ）など、猫が患う可能性のある疾病につき、これらを加算していけば、将来の医療費を見積もることが可能である。
【００２５】
将来の疾病確率及びその疾病を治療するのに要する医療費をもとに将来の医療費を予測することで、確率論からは将来必要となる医療費を合理的に算出することが可能となり、会員全体としてみれば、将来の医療費が適切に算出されることとなる。
【００２６】
また、同じ疾病であっても、猫の種類や年齢、飼育環境、一日の運動量などによって、疾病を患う確率にも変動があるため、これらを考慮して疾病確率を算出することが有益である。例えば、疾病Ａに対して、猫属性情報や猫状態情報を踏まえ、疾病確率がＰａだけ補正されるとすれば、疾病Ａについて要する医療費は、（ＰＡ＋Ｐａ）×ＣＡとして算出される。
【００２７】
このように、猫一般としての将来の医療費の予測に留まらず、個別的な事情も加味して計算を行うことで、より現実に近く精度の高い予測を可能とすることが期待できる。
【００２８】
猫の将来の診療に必要な費用の予測については、例えば、一般的に猫が病気にかかりやすい年齢を想定し、その時点の医療費を見込むことが考えられる。その他に、１年後、２年後など、各年について予測される医療費を算出し、これらをカバーできるような見積プランを提案することも可能である。
【００２９】
積立プラン算出部１０２における積立プランに対して、会員が同積立プランを選択し、積立を行う際には、仮想通貨を用いて積立を行う。すなわち、会員は、猫の医療費の支払いに充てることが可能な仮想通貨を購入して積立て、猫が治療を要した際には、保有する仮想通貨を用いて医療費に充てることができる。
【００３０】
仮想通貨を用いることにより、金銭を積み立てることとは異なり、目的外の用途に使用することはできないから、途中で積立を切り崩す心配もなく、確実に猫の疾病に備えることが可能となる。
【００３１】
なお、仮想通貨は、猫の医療費にのみ利用可能とすることもできるが、もう少し目的を広げ、猫の餌やおもちゃなど、猫用品の購入にも利用可能とすることも可能である。
【００３２】
会員は、積立プラン算出部１０２によって算出された積立プランを選択して積立を行うことも可能であるし、これを参考にして、積立額を増やしたり減らしたりすることも可能である。また、既に積立を開始した後に、積立額を増減させることも可能である。会員は、積立を行うことで、仮想通貨を購入し、これにより仮想通貨が発行されることとなる。
【００３３】
仮想通貨ＤＢ１１２は、仮想通貨の発行、譲渡、決済などの履歴を保有するデータベースである。
【００３４】
図３に、仮想通貨ＤＢ１１２が保有するデータの具体例を示す。仮想通貨の操作は、会員が購入する「発行」、会員間で譲渡する「譲渡」、会員が仮想通貨を利用して決済を行う「決済」がある。例えば、図３の１行目のように、ID=00001の会員が１万円で１万コインを購入した場合には、発行操作としてその内容が時間とともに記録される。次に図３の３行目のように、会員ID=00031から会員ID=00001に対して１万コインの譲渡が行われた場合には、譲渡操作として、その内容が時間とともに記録される。さらに図３の４行目のように、会員ID=00001がClinic=00002にて診療を受け、その医療費として１０万コインを支払った場合には、決済操作として、その内容が時間とともに記録される。
【００３５】
会員毎の仮想通貨の残高のみではなく、仮想通貨の各操作を仮想通貨ＤＢ１１２に記憶しておくことで、各会員がどれだけの仮想通貨を保有するか把握可能であるし、特定の仮想通貨の操作を取り消すことも容易となる。
【００３６】
仮想通貨ＤＢ１１２は、仮想通貨積立管理サーバ１００の機能の一部として構築することは必須ではなく、ブロックチェーン技術を用いて、分散管理することも可能である。このように分散管理を行うことで、ハッキングなどのセキュリティに対する脅威を軽減することが可能となる。
【００３７】
譲渡受付部１０３は、会員が他の会員から仮想通貨の寄付を呼びかけ、これに応じた会員から仮想通貨を譲渡する処理を行う。例えば、ある会員が飼猫の診療を行う際に、自ら積み立てた仮想通貨では、医療費を賄うのに不足する場合が生じる。一方で、仮想通貨の積立を行ってきたものの、既に飼猫が死亡してしまった場合には、飼主は使い道のない仮想通貨を保有することになる。そこで、会員間で仮想通貨の譲渡を可能とし、また、寄付を呼びかけることを可能とすることで、会員間で仮想通貨を有効に活用し、ペット保険と同様に新たな金銭の支出を行うことなく医療費を賄うなどの効果を得ることが期待できる。なお、仮想通貨の譲渡は、寄付を呼びかけることは必須ではなく、親族や知人などから譲り受けることや、ある会員がある飼猫のために積み立てた仮想通貨を他の飼猫のために引き継ぐことも可能である。
【００３８】
譲渡受付部１０３は、例えば、会員が飼猫の診療を行うのに自ら積み立てた仮想通貨のみでは不足する場合に、他の会員に宛てて、寄付を呼びかける機能を有する。これにより、既に仮想通貨の使途を失った会員や、十分な積立を行っている会員が任意に譲渡を行うことが期待できる。
【００３９】
他の会員に対して、漫然と仮想通貨の譲渡を呼びかけるのみでは、実際にこれに応じる会員が少なく、必要とされる医療費を満たすまで寄付が集まらないことも考えられる。そこで、譲渡受付部１０３は、各会員の予測される医療費と現在の積立状況を比較して、積立に余剰のある会員（既に飼猫の死亡等により将来の医療費が見込まれない会員を含む）に対して特に寄付を促したり、現在の積立状況のレポートを付記して寄付を呼びかけることも考えられる。これにより、寄付の募集を受けた会員は、自らの積立状況を把握することにより、寄付を行う動機づけとなり、寄付を必要とする会員に対して適切に寄付が行われる可能性が向上する効果が期待できる。
【００４０】
さらに、譲渡受付部１０３は、寄付の募集がなくとも、事前に会員から寄付の登録をしておくことも可能である。例えば、既に飼猫が死亡し、仮想通貨の使途を失った会員が、その保有する仮想通貨について、予め寄付の登録を行い、仮想通貨をプールしておくことで、他の会員が不足する医療費を募集する際に、仮想通貨プールから自由に譲渡を受け利用することが可能である。これにより、医療費が不足する会員は円滑に他の会員から寄付を受けることで、新たな金銭の支出を行うことなく、飼猫の診療を行うことが可能となる。
【００４１】
なお、譲渡受付部１０３は、会員間の仮想通貨の譲渡を処理するのみならず、会員が飼猫の医療費を負担するに際して、主催者（仮想通貨の発行者）から、会員に対して、一定の仮想通貨の譲渡を行うことも可能である。この譲渡については、医療費が発生する際には一律に仮想通貨を譲渡することや、仮想通貨の積立額が会員に対しては譲渡額を増額するなど、積立額に応じて譲渡額を変動させることも可能である。
【００４２】
決済部１０４は、会員が飼猫の診療を行う際に、診療機関に対し、仮想通貨を用いて医療費の決済を行う。診療が終了した際には、診療機関において医療費を計算し、会員は医療費に見合う支払を仮想通貨により行う。また、診療機関は、会員から仮想通貨を受け取り、これを換金することで、医療費に見合う現金を受領することが可能となる。本件の仮想通貨は、猫の医療費のために積み立てることを目的としているため、積立を行うことで原資を有する会員の猫を診療対象とすることで、猫の診療所からすれば、医療費の不払いを防ぐという効果を享受することが可能となる。
【００４３】
さらに、決済部１０４は、会員が診療所の予約をした時点で、診療所は医療費を見積り、当該見積額に応じた仮想通貨については、会員の口座から移動できないようロックすることも可能である。これにより、診療所からすれば、医療費の不払いを防ぐことが可能となる。なお、診療の予約が解除された場合には、ロックも解除する。
【００４４】
診療情報ＤＢ１１３は、各会員の飼猫の診療記録をデータベースとして保有する。各診療所が会員の飼猫の診療を行った際には、その診療経過を診療情報ＤＢ１１３に保存する。診療情報ＤＢ１１３は、会員ＩＤ、診療所で診療を受けた日、疾病名、診療内容を保存する。なお、データベースの要素はこれらに限られるものではなく、診療機関名、担当獣医などの情報を保有することも可能である。
【００４５】
図４に診療情報ＤＢ１１３が保有するデータの具体例を示す。例えば、１行目のように、会員ID=00001の会員が、2017年5月1日に飼猫の診療を受け、その疾病は疾病Aと判断されたことが示されている。また、疾病Aと判断された経緯や、薬剤Cを投与したという診療経過など、診療の具体的な内容が記録されることとなる。その後も治療が継続された際には、２行目や３行目のように診療内容が追加される。
【００４６】
診療情報ＤＢ１１３のように、診療情報をデータベースとして管理することで、会員や他の診療機関との共有を図ることも可能となり、情報を有効活用することが可能となる。
【００４７】
情報提供部１０５は、会員に対して飼猫の診療情報を提供し、又は／及び診療所に対して、診療対象の診療情報を提供する。例えば、会員が、飼猫の診療経過を確認したい際には、情報提供部１０５は、診療情報ＤＢ１１３から、会員の診療情報を取得し、これを提供する。会員は、会員端末を通して、いつでも飼猫の診療経過を確認することが可能である。また、診療所は、診療予定または診療を行った猫の診療情報を取得して閲覧することが可能であり、過去の病歴も踏まえて、診療に役立てることが可能となる。
【００４８】
さらに、情報提供部１０５は、診療機関に対し、診療予定または診療を行った猫以外の診療情報についても、これを一般化して情報提供することも可能である。例えば、最近１ヶ月で新たに治療を要することとなった疾病のランキング情報を、特定の会員を特定することなく提供することにより、会員のプライバシーを配慮する一方で、診療所は流行の疾病を把握することが可能となり、診療に役立てることができる。
【００４９】
コミュニケーション部１０６は、文字、音声、映像、メール、チャットまたはＳＮＳサイトなどのコミュニケーションツールを用いて、会員間のコミュニケーションを可能とする。例えば、会員に対し、外部のＳＮＳアカウントを登録させ、または、文字、音声、映像、メール、チャットなどを用いて会員間でコミュニケーションを取ることを可能とする機能及び会員検索など他の会員にアプローチするための機能を提供することで、会員を猫に関するコミュニティに招待し、会員間のコミュニケーションを図ることも可能である。ペットとして最も身近なのは犬と猫であるが、犬は公園などを散歩することで、飼主間のコミュニティを構築しやすいのに対し、猫は公園などを散歩しないため、飼主間のコミュニティを構築しにくい。したがって、猫の飼主を対象とした本仮想通貨積立管理システムを通して、猫の飼主のコミュニティを構築することで、会員は、新たな人間関係を構築することが可能となる。
【００５０】
会員情報ＤＢ１１１及び／又は診療情報ＤＢ１１３は、仮想通貨積立管理サーバ１００の機能の一部として構築することは必須ではなく、ブロックチェーン技術を用いて、分散管理することも可能である。このように分散管理を行うことで、ハッキングや情報漏洩などのセキュリティに対する脅威を軽減することが可能となる。
【００５１】
積立プラン算出部１０２における仮想通貨の発行、譲渡受付部１０３における仮想通貨の譲渡、決済部１０４における仮想通貨による医療費の決済等は、スマートコントラクトにより実現することも可能である。すなわち、予め会員等が決めた契約条件（期限も含む）を定義しておき、その条件が実現された際には、自動的に契約を実行する。例えば、会員が毎月２５日に仮想通貨を５０００円で５０００コインを購入する積立プランを契約していれば、毎月２５日が到来した時点で、自動的に５０００円の支払いと引換えに５０００コインを発行することが可能である。これにより、速やかに契約内容を実現することが可能となる。
【００５２】
以上のように、本発明により、猫の年齢などに拘わらず、将来の猫の医療費のためにいつでも備えを開始することが可能となり、万が一医療費が不足する場合には、他の会員から支援を受けることで、保険と同じ効果が期待できる。さらに、保険と比較すると、加入手続に際しても繁雑な手続きなく加入が可能となる。さらに、会員間のコミュニティ形成を支援し、診療機関との情報を共有することで、会員は他の猫の飼主と情報交換をし、診療内容を容易に確認可能とするなど、猫に関する情報を簡単に取得することが可能となる。
【００５３】
（具体例）
本開示における具体的な処理イメージを説明する。まず、猫用の仮想通貨を購入しようとする者、すなわち会員となろうとする者は、会員端末２００−１〜２００−Ｎより、ＩＤ、メールアドレスなどの飼主の情報、猫の種類、生年月日、飼育環境、疾病履歴などの猫属性情報や、猫の外見情報などの猫状態情報の入力を行い、会員登録部１０１はこれらの情報を取得する。このとき、センサなどを用いて、ＧＰＳなどの位置情報や心拍などの生体情報を入力してもよい。
【００５４】
会員登録部１０１で取得した情報は、会員情報ＤＢ１１１に記憶される。図２は会員情報ＤＢに記憶するデータの例である。例えば、あるユーザが会員登録する。このとき、ＩＤ＝００００１、メールアドレス＝mikeneko@cat.comとして入力される。次に、猫属性情報として、猫の種類＝三毛猫、猫の生年月日＝2015.3.5（2015年3月5日）、飼育環境＝室内、疾病履歴＝N/A（なし）等と入力される。さらに、猫状態情報として、体長＝260mm、体重＝3500gと入力され、猫の外観情報が画像データとして保存される（ここでは、画像のファイル名が00001.jpgとされている）。また、ＧＰＳを用いて位置情報を取得する場合には、位置情報が記憶されていく。位置情報は、例えば、定期的に取得していく。ここでは、2018年1月1日14時00分00秒には、北緯35.650002度、東経139.701655Eにいたこと（20180101140000=35.650002N,139.701655E）、2018年1月1日14時01分00秒には、北緯35.650030度、東経139.701655度にいたこと（20180101140100=35.650030N,139.701655E）、2018年1月1日14時02分00秒には、北緯35.650031度、東経139.701658度にいたこと（20180101140200=35.650031N,139.701658E）を記録する。
【００５５】
積立プラン算出部１０２は、会員に対し、猫の将来の医療費に備えた積立プランを算出する。積立プランの算出に際しては、猫種ごとの疾病確率及びその疾病の診療に要する医療費を用いて計算する他、会員情報ＤＢ１１１が保有する猫の年齢、飼育環境、体長、体重、移動距離なども用いて計算を行う。移動距離の計算に際しては、時間毎の位置情報から、猫が歩いた又は走ったと思われる速さの情報を抽出し（あまりに高速で移動しているものは飼主が自動車などで移動していると考えられるのでこれを含まない）、移動距離を算出する。これらを用いて、例えば、将来、疾病Ｄを患う可能性がＰＤであり、そのときの治療に要する費用がＣＤであるとすれば、見積もられる医療費はＰＤ×ＣＤという形で算出できる。その他にも、疾病Ｅ（ＰＥ×ＣＥ）や疾病Ｆ（ＰＦ×ＣＦ）など、猫が患う可能性のある疾病につき、これらを加算していけば、将来の医療費を見積もることが可能である。
【００５６】
積立プラン算出部１０２において、例えば、５年後に要する治療費が６０万円と見積もられた場合には、会員に対して、毎月１万円を積み立てるプランを提案する。ここで、仮想通貨１コインを１円と設定すれば、毎月１万コインを積み立てるプランとなる。
【００５７】
積立プラン算出部１０２が提案する積立プランは、会員が積立を行う上での参考であり、会員は、余裕を見て毎月１万５０００コインを積み立ててもよいし、毎月５０００コインを積み立てることとしてもよい。
【００５８】
例えば、会員（ID=00001）が、2018年5月1日13時00分00秒に１万コインを１万円で購入し、積み立てた場合には、仮想通貨ＤＢ１１２には、図３の１行目のように記録される。
【００５９】
会員は、将来の猫の医療費に備えて積立を行うが、実際の医療費が積立に満たない場合も考えられる。一方で、飼猫が不幸にも死んでしまった場合に、積み立てた仮想通貨を利用しない会員もいる。そこで、譲渡受付部１０３では、例えば、既に利用の可能性がなくなった会員に対しては、予め保有する仮想通貨の譲渡の予約を登録し、自らが積み立てた仮想通貨では医療費を賄うのに不足する会員が現れた場合には、自動的に譲渡することが可能である。
【００６０】
また、仮想通貨の予約登録がない場合には、他の会員に対して仮想通貨の譲渡を呼びかける。譲渡受付部１０３では、例えば、仮想通貨の譲受を希望する会員がある場合に、他の仮想通貨の積立状況から、積立が十分な会員に対して特に呼びかけることが可能である。例えば、Ｇという会員は予測される医療費５０万円に対して既に７０万コインを積立てて、Ｈという会員は、予測される医療費３０万円に対して１０万コインしか積み立てていない場合には、十分な積立を行っているＧという会員に対して、呼びかけを行う。
【００６１】
例えば、ID=00001の会員は、既に９万コインの積立を行っているが、医療費には１万円不足する場合には、譲渡受付部１０３によって、他の会員に仮想通貨の譲渡を呼びかけ、これに応じる会員が現れた場合には、１万コインが譲渡される。この取引の履歴は、仮想通貨ＤＢ１１２において、図３の３行目のように記録される。
【００６２】
会員が診療所にて診療を行った際には、仮想通貨を用いて決済を行う。決済部１０４は、例えば医療費が１０万円であった場合に、会員が保有する１０万コインを用いて決済を行う。この取引は、仮想通貨ＤＢ１１２において、図３の４行目のように記録される。
【００６３】
診療所が行った診療記録は、診療情報ＤＢ１１３に記録される。会員は、診療所の診療において、どのような診療を行ったかその経過を会員端末２００−１〜２００−Ｎにより情報提供部１０５を通して確認することが可能である。例えば、図４のような診療情報が存在する場合、ID=00001の会員は、2017年5月1日、疾病Ａで00001の診療所にて診療を受け、Ｂという症状から疾病Ａと判断され、薬剤Ｃの投与を受けたことが確認できる。さらに、同月８日には、症状が改善されたが、再度薬剤Ｃの投与を受けたこと、同月１５日には治癒と判断され診療が終了したことが確認できる。
【００６４】
診療記録は、会員端末２００−１〜２００−Ｎだけでなく、診療所端末２０１−１〜２０１−Ｍにおいても確認が可能である。例えば、Clinic=00002の診療所がID=00001の会員の猫の診療にあたる際には、自らの診療経過のみではなく、図４の１〜３行目の記載のように、Clinic=00001で過去に行われた診療についても参照することが可能である。これにより、過去にどのような疾病を患ったかを確認したり、薬剤のアレルギーなども確認することが可能となり、診療に役立てることが可能となる。
【００６５】
コミュニケーション部１０６では、例えば、共通事項を有する会員間でコミュニティを形成し（例えばベンガルの飼主のコミュニティ等）、会員が近況を投稿すると他の会員にその情報が共有され、他の会員が投稿に対し返信を行うことを可能とすることで、会員間のコミュニケーションを図ることが可能となる。
【００６６】
（処理の流れ）
図５は、本開示における仮想通貨積立管理システムの処理の流れを示す。
【００６７】
会員登録部１０１は、飼主情報、猫属性情報及び猫状態情報を取得する。飼主情報は、ＩＤ、飼主（会員）の氏名、メールアドレス、電話番号、住所などの情報であり、会員登録時に会員が入力する。猫属性情報は、猫の種類、生年月日、飼育環境（室内での飼育か屋外での飼育かなど）、位置情報、疾病履歴などの情報であり、会員登録時に会員が入力する他、その後情報が追加されてもよい。猫状態情報は、猫の外見情報（例えば画像データで取得する等）、体長や体重の他、心拍などの生体情報などであり、会員登録時及びその後に情報が入力されることが考えられ。これらの情報は、会員情報ＤＢ１１１に記録される（ステップＳ１）。
【００６８】
積立プラン算出部１０２は、会員に対し、猫の将来の医療費に備えた積立プランを算出する。積立プランの算出に際しては、猫種ごとの疾病確率及びその疾病の診療に要する医療費を用いて計算する他、会員情報ＤＢ１１１が保有する猫の年齢、飼育環境、体長、体重、移動距離なども用いて計算を行う（ステップＳ２）。
【００６９】
譲渡受付部１０３は、会員が飼猫の診療を行うのに自ら積み立てた仮想通貨のみでは不足する場合に、他の会員が予め譲渡の予約をした仮想通貨に対して、譲渡を行い、さらに不足する場合には、他の会員に宛てて、寄付を呼びかける（ステップＳ３）。
【００７０】
決済部１０４は、会員が飼猫の診療を行った際に、診療機関に対し、仮想通貨を用いて医療費の決済を行う（ステップＳ４）。
【００７１】
情報提供部１０５は、会員に対して飼猫の診療情報を提供し、又は／及び診療所に対して、診療対象の診療情報を提供する（ステップＳ５）。
【００７２】
コミュニケーション部１０６は、コミュニケーションツールを用いて会員間でコミュニケーションをとることを可能とする（ステップＳ６）。
【００７３】
＜プログラム＞
図６は、コンピュータ８０１の構成を示す概略ブロック図である。コンピュータ８０１は、ＣＰＵ８０２、主記憶装置８０３、補助記憶装置８０４、インタフェース８０５を備える。
【００７４】
ここで、仮想通貨積立管理システム１を構成する各機能を実現するためのプログラムの詳細について説明する。
【００７５】
仮想通貨積立管理システム１は、コンピュータ８０１に実装される。そして、仮想通貨積立管理システム１の各構成要素の動作は、プログラムの形式で補助記憶装置８０４に記憶されている。ＣＰＵ８０２は、プログラムを補助記憶装置８０４から読み出して主記憶装置８０３に展開し、当該プログラムに従って上記処理を実行する。また、ＣＰＵ８０２は、プログラムに従って、上述した記憶部に対応する記憶領域を主記憶装置８０３に確保する。
【００７６】
当該プログラムは、具体的には、コンピュータ８０１において、飼主情報、猫属性情報、猫状態情報を取得して会員登録を行う会員登録ステップと、猫属性情報及び猫の状態を表す猫状態情報から将来の猫の医療費を予測して仮想通貨の積立プランを提示する積立プラン算出ステップと、会員が猫のために支出を要する際、他の会員から仮想通貨の譲渡を受ける譲渡受付ステップと、会員が猫のために支出を行う際、仮想通貨により決済を行う決済ステップと、会員又は／及び診療所が診療情報を取得する診療情報提供ステップをコンピュータに実行させるためのプログラムである。
【００７７】
なお、補助記憶装置８０４は、一時的でない有形の媒体の一例である。一時的でない有形の媒体の他の例としては、インタフェース８０５を介して接続される磁気ディスク、光磁気ディスク、ＣＤ−ＲＯＭ（Ｃｏｍｐａｃｔ  Ｄｉｓｃ  Ｒｅａｄ−Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ−Ｏｎｌｙ  Ｍｅｍｏｒｙ）、半導体メモリ等が挙げられる。また、このプログラムがネットワークを介してコンピュータ８０１に配信される場合、配信を受けたコンピュータ８０１が当該プログラムを主記憶装置８０３に展開し、上記処理を実行してもよい。
【００７８】
また、当該プログラムは、前述した機能の一部を実現するためのものであってもよい。さらに、当該プログラムは、前述した機能を補助記憶装置８０４に既に記憶されている他のプログラムとの組み合わせで実現するもの、いわゆる差分ファイル（差分プログラム）であってもよい。
【００７９】
以上、本開示の実施形態について説明したが、設計上の都合やその他の要因によって必要となる様々な修正や組み合わせは、請求項に記載されている発明や発明の実施形態に記載されている具体例に対応する発明の範囲に含まれるものとする。
【符号の説明】
【００８０】
１…仮想通貨積立管理システム、１００…仮想通貨積立管理サーバ、１０１…会員登録部、１０２…積立プラン算出部、１０３…譲渡受付部、１０４…決済部、１０５…情報提供部、１０６…コミュニケーション部、１１１…会員情報ＤＢ、１１２…仮想通貨ＤＢ、１１３…診療情報ＤＢ、２００−１〜２００−Ｎ…会員端末、２０１−１〜２０１−Ｍ…診療所端末、８０１…コンピュータ、８０２…ＣＰＵ、８０３…主記憶装置、８０４…補助記憶装置、８０５…インタフェース、ＮＷ…ネットワーク
【図１】
2020027493.tif 000003
【図２】
2020027493.tif 000004
【図３】
2020027493.tif 000005
【図４】
2020027493.tif 000006
【図５】
2020027493.tif 000007
【図６】
2020027493.tif 000008